(57)【要約】【課題】迷惑電話の対策のための処理負荷を軽減する通信システム、通信端末、通信プログラム及び通信方法を提供すること。【解決手段】  本発明の一態様にかかる通信システム１は、発信処理を制御する発信制御部１０１と、発信者の身分情報を格納する身分情報記憶部１０２を有する発信端末１００と、着信処理を制御する着信制御部２０１と、着信履歴情報を格納する着信履歴情報記憶部２０２を有する着信端末２００とを備える。発信制御部１０１は、発信処理中に身分情報記憶部１０２に格納された身分情報を着信端末に送信する。着信制御部２０１は、発信端末１００から受信した身分情報を着信履歴情報として着信履歴情報記憶部２０２に格納する。着信制御部２０１は、新たに発信端末から発信があった場合同一の発信端末からの発信が着信履歴情報に含まれるとき、対応する身分情報を読み出し表示する。【選択図】図１
2019176234.tif 000002
【特許請求の範囲】
【請求項１】
発信処理を制御する発信制御部と、発信者の身分情報を格納する身分情報記憶部を有する発信端末と、
着信処理を制御する着信制御部と、着信履歴情報を格納する着信履歴情報記憶部を有する着信端末とを備えた通信システムであって、
前記発信端末の発信制御部は、発信処理中に前記身分情報記憶部に格納された身分情報を前記着信端末に送信し、
前記着信端末の着信制御部は、前記発信端末から受信した身分情報を前記着信履歴情報として前記着信履歴情報記憶部に格納し、かつ、新たに前記発信端末から発信があった場合に同一の発信端末からの発信が前記着信履歴情報に含まれるときは、対応する身分情報を読み出す、
通信システム。
【請求項２】
前記着信端末の着信制御部は、前記発信端末からの発信に応じて、発信者の身分情報を要求し、
前記発信端末の発信制御部は、前記身分情報の要求に応じて、前記身分情報記憶部に格納された身分情報を前記着信端末に送信する請求項１記載の通信システム。
【請求項３】
前記発信端末は、さらに、少なくとも前記着信端末からの身分情報の要求情報を含む発信履歴情報を格納する発信履歴情報記憶部を有し、
前記発信端末の発信制御部は、前記着信端末へ発信する場合に、前記発信履歴情報に格納された、当該着信端末からの過去の身分情報の要求情報に基づいて、前記身分情報記憶部から対応する身分情報を読み出し、前記着信端末に対して送信する請求項２記載の通信システム。
【請求項４】
前記着信端末の着信制御部は、前記着信履歴情報記憶部に格納された着信履歴情報に基づいて、発信者の発信傾向を分析し、今回の発信の発信者が、過去の発信者と同一の発信者かどうかを判定する、請求項１乃至３いずれかに記載の通信システム。
【請求項５】
前記発信端末は、さらに当該発信端末の位置情報を取得する位置情報取得部を有し、
前記発信端末の発信制御部は、前記位置情報取得部が取得した位置情報を前記身分情報として前記着信端末に対して送信する請求項１乃至４いずれかに記載の通信システム。
【請求項６】
前記発信端末は、さらに発信者を撮像した撮像情報を取得する撮像情報取得部を有し、
前記発信端末の発信制御部は、前記撮像情報取得部が取得した発信者の撮像情報を前記身分情報として前記着信端末に対して送信する請求項１乃至５いずれかに記載の通信システム。
【請求項７】
前記撮像情報取得部は、顔画像であるかどうかを認識する認識手段を有し、当該認識手段によって顔画像であると判定された場合に発信者を撮像した撮像情報として取得する請求項６記載の通信システム。
【請求項８】
発信処理を制御する発信制御部と、発信者の身分情報を格納する身分情報記憶部と、
着信処理を制御する着信制御部と、着信履歴情報を格納する着信履歴情報記憶部を有する通信端末であって、
他の通信端末に発信する場合に、発信処理中に前記発信制御部は、前記身分情報記憶部に格納された身分情報を発信先に送信し、
他の通信端末から発信があった場合に、前記着信制御部は、発信元から受信した身分情報を前記着信履歴情報として前記着信履歴情報記憶部に格納し、かつ、新たに発信元から発信があった場合に同一の発信元からの発信が前記着信履歴情報に含まれるときは対応する身分情報を読み出す、
通信端末。
【請求項９】
他の通信端末に発信する場合に、身分情報を発信先に送信する処理と、
他の通信端末から発信があった場合に、発信元から受信した身分情報を着信履歴情報として格納し、かつ、新たに発信元から発信があった場合に同一の発信元からの発信が前記着信履歴情報に含まれている場合には、当該発信元の身分情報を読み出す処理を、
コンピュータに実行させる通信プログラム。
【請求項１０】
第１の端末から第２の端末に対して発信し、音声通信を行う通信方法であって、
前記第１の端末は、発信処理中に予め格納された身分情報を前記第２の端末に対して送信し、
前記第２の端末は、前記第１の端末から受信した身分情報を着信履歴情報として記憶し、
さらに、新たに発信を受けた場合に前記第２の端末は、同一の発信元からの発信が前記着信履歴情報に含まれるときは、着信履歴情報中の身分情報をユーザに報知する、
通信方法。
【発明の詳細な説明】
【技術分野】
【０００１】
本発明は、通信システム、通信端末、通信プログラム及び通信方法に関し、特に迷惑電話を防止するための技術に関する。
【背景技術】
【０００２】
昨今、詐欺等の悪質な行為を目的とした迷惑電話が増加している。このような迷惑電話に対する対策としてフィルタリング処理が行われている。フィルタリング処理では、迷惑電話に用いられる電話番号を予めリストに登録しておく。そして、電話端末は、着信時に発信者の電話番号と、当該リストの電話番号を照会し、一致した場合に着信拒否を実行する。しかしながら、迷惑電話のリストは、日々更新したとしても、すべての迷惑電話の電話番号を網羅することは困難であるため、フィルタリングによって排除できずに迷惑電話を着信してしまうことは避けられない。
【０００３】
また、電話帳に登録された発信者からの着信のみ電話に出るという対応もある。しかしながら、学校や病院、宅配便や各種サービス業者からの着信のように、電話帳に未登録の発信者からの着信であっても電話に出る必要がある場合は多い。未登録の発信者から着信した場合、迷惑電話かそうでないかの区別は容易でなく、電話に出ても大丈夫かを判断することは困難である。
【０００４】
ここで、特許文献１には、発信者から送信された発信者証明書を受信者が確認することにより、着信に対して応答すべきかの決定を容易にする技術が開示されている。
また、特許文献２には、発信者を特定するために正当性が保証された発信者情報を読み取り、読み取った発信者情報を表示することにより、着信に対して応答すべきかの決定を容易にする技術が開示されている。
【先行技術文献】
【特許文献】
【０００５】
【特許文献１】国際公開第２００７／１０２４２２号公報
【特許文献２】特開２００８−１７７９２８号公報
【発明の概要】
【発明が解決しようとする課題】
【０００６】
特許文献１、２に記載された関連技術によれば、より正確な発信者情報に基づいて、迷惑電話かどうかを判断できるが、発信端末等で発信者証明書等を送信する処理及び着信端末でこれを受信する処理を、着信する度に繰り返し実行しなければならず、システム上の処理負荷が大きいという課題がある。
【０００７】
本発明は、上述の問題を解決するためになされたものであり、迷惑電話の対策のための処理負荷を軽減することが可能な通信システム、通信端末、通信プログラム及び通信方法を提供することを目的とする。
【課題を解決するための手段】
【０００８】
本発明の一態様にかかる通信システムは、発信処理を制御する発信制御部と、発信者の身分情報を格納する身分情報記憶部を有する発信端末と、着信処理を制御する着信制御部と、着信履歴情報を格納する着信履歴情報記憶部を有する着信端末とを備えた通信システムであって、前記発信端末の発信制御部は、発信処理中に前記身分情報記憶部に格納された身分情報を前記着信端末に送信し、前記着信端末の着信制御部は、前記発信端末から受信した身分情報を前記着信履歴情報として前記着信履歴情報記憶部に格納し、かつ、新たに前記発信端末から発信があった場合に同一の発信端末からの発信が前記着信履歴情報に含まれるときは、対応する身分情報を読み出すものである。
【０００９】
また、本発明の一態様にかかる通信端末は、発信処理を制御する発信制御部と、発信者の身分情報を格納する身分情報記憶部と、着信処理を制御する着信制御部と、着信履歴情報を格納する着信履歴情報記憶部を有する通信端末であって、他の通信端末に発信する場合に、発信処理中に前記発信制御部は、前記身分情報記憶部に格納された身分情報を発信先に送信し、他の通信端末から発信があった場合に、前記着信制御部は、発信元から受信した身分情報を前記着信履歴情報として前記着信履歴情報記憶部に格納し、かつ、新たに発信元から発信があった場合に同一の発信元からの発信が前記着信履歴情報に含まれるときは対応する身分情報を読み出すものである。
【００１０】
さらに、本発明の一態様にかかる通信プログラムは、他の通信端末に発信する場合に、身分情報を発信先に送信する処理と、他の通信端末から発信があった場合に、発信元から受信した身分情報を着信履歴情報として格納し、かつ、新たに発信元から発信があった場合に同一の発信元からの発信が前記着信履歴情報に含まれている場合には、当該発信元の身分情報を読み出す処理を、コンピュータに実行させるものである。
【００１１】
本発明の一態様にかかる通信方法は、第１の端末から第２の端末に対して発信し、音声通信を行う通信方法であって、前記第１の端末は、発信処理中に予め格納された身分情報を前記第２の端末に対して送信し、前記第２の端末は、前記第１の端末から受信した身分情報を着信履歴情報として記憶し、さらに、新たに発信を受けた場合に前記第２の端末は、同一の発信元からの発信が前記着信履歴情報に含まれるときは、着信履歴情報中の身分情報をユーザに報知するものである。
【発明の効果】
【００１２】
本発明によれば、迷惑電話の対策のための処理負荷を軽減することが可能な通信システム、通信端末、通信プログラム及び通信方法を提供することができる。
【図面の簡単な説明】
【００１３】
【図１】実施の形態１にかかる通信システムの全体構成を示すブロック図である。
【図２】実施の形態２にかかる通信システムの全体構成を示すブロック図である。
【図３】実施の形態２にかかる通信端末のハードウェア構成図である。
【図４】実施の形態２にかかる通信システムのデータベースを示すブロック図である。
【図５】実施の形態２にかかる通信システムの処理を説明するための説明図である。
【図６】実施の形態２にかかる通信システムの処理を説明するための説明図である。
【図７】実施の形態２にかかる通信システムの処理を説明するための説明図である。
【図８】実施の形態２にかかる発信端末の処理の流れを説明するためのフローチャートである。
【図９】実施の形態２にかかる受信端末の処理の流れを説明するためのフローチャートである。
【図１０】実施の形態３にかかる通信システムの全体構成を示すブロック図である。
【発明を実施するための形態】
【００１４】
発明の実施の形態１．
発明の実施の形態１にかかる通信システムについて、図を用いて説明する。
図１は、当該通信システムの全体構成を示すブロック図である。図に示されるように、通信システム１は、発信端末１００と着信端末２００を備えている。ここで、発信端末１００は、発信専用の端末に限定するものではなく、発信及び着信が可能な通信端末によって実現可能である。着信端末２００も同様に、着信専用の端末に限定するものではなく、発信及び着信が可能な通信端末によって実現可能である。
【００１５】
発信端末１００と着信端末２００は、通信網３００を介して相互に通信可能なように接続されている。通信網３００は、例えば、有線通信の場合には交換機等を含み、無線通信の場合には基地局等を含む。さらに、通信形態によっては、通信網３００はインターネットを含む場合もある。
【００１６】
発信端末１００は、発信処理を制御する発信制御部１０１と、発信者の身分情報を格納する身分情報記憶部１０２を備えている。
【００１７】
また、着信端末２００は、着信処理を制御する着信制御部２０１と、着信履歴情報を格納する着信履歴情報記憶部２０２を備えている。
【００１８】
発信端末１００の発信制御部１０１は、発信処理中、即ち、発信時又は着信端末２００からの要求に応じて身分情報記憶部１０２に格納された身分情報を着信端末２００に送信する。
【００１９】
そして、着信端末２００の着信制御部２０１は、発信端末１００から受信した身分情報を着信履歴情報として着信履歴情報記憶部２０２に格納する。さらに、着信制御部２０１は、新たに発信端末１００から発信があった場合、過去に、同一の発信端末１００からの発信が着信履歴情報にあったかどうかを着信履歴情報記憶部２０２を参照して判定する。着信制御部２０１は、判定の結果、過去にも着信があり、かつ、その着信の際に身分情報を取得している場合には、その身分情報を読み出す。着信端末２００は、読み出した身分情報をモニタ等に表示することによって、着信者に対して報知する。
【００２０】
本実施の形態にかかる通信システムによれば、着信端末において発信者の身分情報を着信者に対して報知することができるため、着信者は電話に出る前に迷惑電話かどうかを判断できる。特に、本実施の形態によれば、過去に発信を受けて発信者の身分情報を既に取得している場合には、その身分情報を着信履歴情報として格納しているため、発信者端末が身分情報を何度も送信する必要性がないため、システムの処理負荷を軽減できる。
【００２１】
発明の実施の形態２．
発明の実施の形態２にかかる通信システムについて、図を用いて説明する。当該通信システムでは、電話を着信した時に、着信コール前に発信者の身分情報を確認して、着信端末のモニタに表示できる。また、電話端末に着信するために必要な情報を定義し、着信時に発信者に自動的に必要な身分情報を要求する仕組みも備えている。
【００２２】
図２は、当該通信システムの全体構成を示すブロック図である。図に示されるように、通信システム１は、電話端末１０、認証局サーバ２０及び所属先の秘密鍵管理サーバ３０を備えている。電話端末１０と認証局サーバ２０、電話端末１０と秘密鍵管理サーバ３０とは通信網によって接続されている。
【００２３】
電話端末１０は、着信制御部１１、発信制御部１２及びデータベース１３を備える通信端末である。電話端末１０は、典型的には携帯電話機であるが、これ以外にも固定電話機やトランシーバー等の通信端末であってもよい。さらに、ハンドセットマイク等の通話装置を取り付けたパーソナルコンピュータであってもよい。本実施の形態における通信は、音声通信である。
【００２４】
電話端末１０のハードウェア構成例を図３に示す。図に示されるように、電話端末１０は、プロセッサ１００１、通信インタフェース１００２、メモリ１００３、周辺装置１００４及びモニタ１００５を備えている。これらの各要素は、例えば、バスによって接続されている。プロセッサ１００１は、メモリ１００３に格納されたコンピュータプログラムを読み出して実行することによって、各種の機能部を実現する。プロセッサ１００１は、例えば、ＣＰＵ（Central Processing Unit）である。
【００２５】
通信インタフェース１００２は、他の電話端末１０と通信を実行するための入出力処理を実行する。電話端末１０が携帯電話端末等の無線通信端末の場合は、通信インタフェース１００２は、ベースバンド処理回路や無線処理回路を含む。
【００２６】
メモリ１００３は、ＲＡＭ（Random Access Memory）、ＲＯＭ（Read Only Memory）等の記憶手段であり、コンピュータプログラムや各種のデータを格納する。周辺装置１００４は、音声通信を実現するためのマイク、スピーカや各種音声処理回路や入力装置等の各種のモジュールである。モニタ１００５は、発信者の電話番号や身分情報等の各種情報を、ユーザに対して報知するための表示手段である。
【００２７】
図２に戻り、着信制御部１１は、電話の機能のうち、着信機能を実現するための各種制御を実行する。着信制御部１１は、さらに、分析部１１１、発行部１１２、要求部１１３、判断部１１４、表示部１１５、着信部１１６を備えている。
【００２８】
分析部１１１は、着信履歴情報から発信者の発信傾向を分析して発信傾向情報を生成する。発信傾向情報としては、例えば、発信してくる頻度が高い時間帯や曜日の情報がある。さらに、分析部１１１は、任意のタイミングで、要求拒否情報に基づいて、拒否回数値が予め設定された閾値を超える電話番号が存在するかどうかを判定する。分析部１１１は、拒否回数値が予め定めた閾値を超える電話番号が存在すると判定した場合には、かかる電話番号を、着信拒否番号として、登録するか否かを着信者に対して確認する処理を実行する。
【００２９】
発行部１１２は、ワンタイムチケットを発行する。また、要求部１１３は、主として発信元に対して発信者の身分情報を要求する。ここで、発行部１１２が発信端末１００に対して要求する身分情報の種類を予め登録することが可能である。着信者がより詳細な身分情報に基づいて迷惑電話かどうかを判定したいと考える場合には、詳細な身分情報（属人情報）が得られるように身分情報の種類を登録すればよい。その一方で、例えば、発信者の所属する情報だけで判断することを求める場合には、身分情報の種類として所属情報だけを登録すればよい。
【００３０】
判断部１１４は、発信端末１００から送信された身分情報が正しいものであるかどうかを判定したり、身分情報中に着信コールを実施するために必要な情報が含まれているかどうかを判定したりする。
【００３１】
表示部１１５は、判断部１１４等の要求に応じて、発信端末１００から取得した身分情報等をモニタに表示する。着信部１１６は、電話を着信し、所定の条件を満たす場合に、着信コールを実行する。
【００３２】
発信制御部１２は、対応部１２１、受付部１２２及び発信部１２３を備えている。
【００３３】
対応部１２１は、発信先から要求された情報をデータベース１３から入手し、所属部門の秘密鍵管理サーバ３０から秘密鍵Ｋ４を入手し、その秘密鍵Ｋ４用いて送信情報を暗号化する。
【００３４】
受付部１２２は、発信先からの要求を受け付け、身分情報を含む発信者情報を送付する。
【００３５】
発信部１２３は、電話の発信処理を実行する。
【００３６】
データベース１３は、迷惑電話を防止するための処理に必要な情報が格納された記憶部である。図４にデータベース１３の構成を示す。図４に示されるように、データベース１３は、条件情報ＤＢ１３１、身分情報ＤＢ１３２、発信履歴ＤＢ１３３、着信履歴ＤＢ１３４及び着信拒否ＤＢ１３５を有する。
【００３７】
条件情報ＤＢ１３１は、着信端末２００が着信コールを実行するための条件として発信端末１００に対して要求する着信必要情報（すなわち、定義情報）等の条件情報を格納する。
【００３８】
身分情報ＤＢ１３２は、発信者の身分情報を格納する。ここで、発信者の身分情報には、発信者が所属する会社を特定する所属会社情報と、所属部門、役職、名前やメールアドレス等の属人情報を含む。ここで、所属会社情報は、行政機関や国の組織によって認可された認証局から発行されるデジタル証明書によって証明される。本実施の形態における属人情報は、発信者自身が着信者に対して伝達することを許容する範囲、すなわち公開可能な情報を特定することができる。例えば、身分情報ＤＢ１３２には、公開可能な情報のみ格納するようにしてもよく、また、格納した情報のうち公開可能な情報か否かを示す情報（例えば、フラグ情報）を各種の情報に付加するようにしてもよい。なお、属人情報を暗号化するための、所属会社の秘密鍵は電話端末１０には保存せずに、必要時に所属会社の秘密鍵管理サーバからダウンロードする。電話端末１０は、秘密鍵を使用した後、一時的に格納した当該秘密鍵を削除する。
【００３９】
発信履歴ＤＢ１３３は、自身の電話端末１０から発信した履歴情報を格納する。発信履歴情報は、発信日時を特定する時間情報、発信先情報（発信先の電話番号）、発信先から要求された情報の種類を特定する要求情報を含む。
【００４０】
着信履歴ＤＢ１３４は、自身の電話端末１０が着信した履歴情報等を格納する。着信履歴情報は、着信日時を特定する時間情報、発信元情報（発信元の電話番号）、発信元から送信された身分情報を含む。また、着信履歴情報は、発信元が要求情報に対して身分情報の送信を拒否した回数の情報も含む。さらに、着信履歴ＤＢ１３４には、着信履歴情報を分析部１１１が分析することによって得られた各発信者の電話傾向情報も格納される。
【００４１】
着信拒否ＤＢ１３５は、ユーザの判断によって登録された、着信拒否を行うべき発信者を特定する情報（典型的には、電話番号）を格納する。さらに、データベース１３は、所属先のデジタル証明書Ｃ１や認証局２０の公開鍵Ｋ２も格納する。
【００４２】
図２に戻り、認証局サーバ２０は、発信者の所属先のデジタル証明書Ｃ１を発行する。デジタル証明書Ｃ１には所属先の公開鍵Ｋ３が内包されていて、認証局の秘密鍵Ｋ１によって暗号化されている。
【００４３】
所属先の秘密鍵管理サーバ３０は、所属先の秘密鍵を管理している。また、当該秘密鍵管理サーバ３０は、電話端末１０の対応部１２１から秘密鍵の提供要求を受信した場合には、秘密鍵Ｋ４を電話端末１０に対して送信することによって供給する。
【００４４】
発信者の身分情報に関しては、なりすましを防止するために、所属会社情報は認証局の秘密鍵で暗号化されたデジタル証明書に含めることとし、そして、着信端末２００側で認証局の公開鍵で復号化することによって初めて内容を確認することができるようしている。つまり、復号化ができれば、所属会社情報は真正な情報であると判断でき、復号化できなければ、真正な情報でないと判断できる。
【００４５】
続いて、図を用いて本実施の形態にかかる通信システムの処理について、３つの処理１〜３について順次説明する。
【００４６】
（処理例１）
図５は、発信者が身分情報を付与せずに電話発信し、着信端末が情報を要求して着信コールを実行する場合の処理を示している。電話を発信する前段階として、発信端末１００は、所属先Ａのデジタル証明書Ｃ１を認証局のサーバ２０からダウンロードすることによって取得している。このとき、デジタル証明書Ｃ１は、認証局の秘密鍵Ｋ１によって暗号化されている。また、着信端末２００は、認証局のサーバ２０から認証局の公開鍵Ｋ２をダウンロードすることによって取得している。
【００４７】
最初に、発信端末１００の発信部１２３は、発信者の操作に応じて、着信端末２００に対する発信処理を実行する（Ｓ１０１）。着信端末２００の着信部１１６は、発信端末１００からの発信信号を受信し、受付処理を実行する。次に、着信端末２００の判断部１１４は、着信部１１６が受け付けた着信に対して、データベース１３の条件情報ＤＢ１３１を参照して、条件情報ＤＢ１３１に定義されている、着信に必要な情報が付与されているかを確認する処理を実行する（Ｓ１０２）。
【００４８】
着信端末２００の判断部１１４は、図５に示す例では、着信に必要な処理が発信信号に含まれていないと判断する。判断部１１４による、かかる判断に応じて、発行部１１２は、ワンタイムチケットを発行する処理を実行する（Ｓ１０３）。続いて、要求部１１３は、着信に必要な情報を示す情報とワンタイムチケットを組み合わせたファイルを作成する（Ｓ１０４）。
【００４９】
要求部１１３は、作成したファイルを要求情報として、発信元である発信端末１００に対して送信する（Ｓ１０５）。このようにして、着信端末２００は、発信端末１００に対して、デジタル証明書と身分情報の送信を要求する。発信端末１００の受付部１２２は、作成ファイルによる要求を受け付け、対応部１２１に対して要求を転送する。対応部１２１は、要求情報に応じてデータベース１３の身分情報データベース１３２から発信者の身分情報を読み出し、着信端末２００から受信した情報を含むファイルに追加する（Ｓ１０６）。
【００５０】
続いて、発信端末１００の対応部１２１は、所属先Ａ、即ち所属会社Ａの秘密鍵管理サーバ３０から秘密鍵Ｋ４をダウンロードすることによって、所属先Ａの秘密鍵Ｋ４を取得する（Ｓ１０７）。さらに対応部１２１は、取得した秘密鍵Ｋ４を使用して、ステップＳ１０６によって作成したファイルに対して暗号化処理を実行する（Ｓ１０８）。対応部１２１は、暗号化されたファイルとデータベース１３から読み出した所属先Ａのデジタル証明書Ｃ１を受付部１２２に対して出力する。受付部１２２は、暗号化されたファイル（着信に必要な情報を示す情報、ワンタイムチケット及び発信者の身分情報を含む）とデジタル証明書Ｃ１を、着信端末２００に対して送信する。
【００５１】
着信端末２００の要求部１１３は、発信端末１００の受付部１２２から送信された情報を受信する。かかる受信に応じて、着信端末２００の判断部１１４は、データベース１３に格納されている認証局の公開鍵Ｋ２を用いてデジタル証明書Ｃ１を復号化する。さらに、判断部１１４は、復号化したデジタル証明書Ｃ１が真正なものかどうかを確認する（Ｓ１１０）。
【００５２】
続いて、着信端末２００の判断部１１４は、デジタル証明書Ｃ１に含まれている発信者の所属先の公開鍵Ｋ３を用いて、着信端末２００より受信した、身分情報を含むファイルを復号化する。判断部１１４は、ファイルの復号化が成功するか否かによって、身分情報が正しいものかどうかを確認する（Ｓ１１１）。
【００５３】
判断部１１４は、着信に必要な情報として予め定められた情報に、当該身分情報に含まれているかを確認する（Ｓ１１２）。判断部１１４が身分情報に着信に必要な情報として予め定められた情報が含まれていると判断した場合には、表示部１１５は、発信者情報として、発信者の情報として、身分情報及び発信者の電話番号を着信端末２００のモニタに表示させる（Ｓ１１３）。その後、着信部１１６は、着信コールを実行する（Ｓ１１４）。
【００５４】
（処理例２）
次に、図６を用いて、発信者が過去の発信履歴に基づいて、予め身分情報として身分情報を発信情報に付与する例について説明する。電話を発信する前段階として、発信端末１００は、所属先Ａのデジタル証明書Ｃ１を認証局のサーバ２０からダウンロードすることによって取得している。このとき、デジタル証明書Ｃ１は、認証局の秘密鍵Ｋ１によって暗号化されている。また、着信端末２００は、認証局のサーバ２０から認証局の公開鍵Ｋ２をダウンロードすることによって取得している。
【００５５】
発信端末１００の発信部１２３は、発信者から発信要求があった場合に、発信履歴ＤＢ１３３の発信履歴情報を確認する。具体的に、発信部１２３は、まず、発信要求により特定される発信相手の着信者に対する発信履歴が発信履歴ＤＢ１３３に格納されているかどうかを判断する。当該発信履歴が発信履歴ＤＢ１３３に格納されていない場合に、発信部１２３は、図５に示す処理例１のステップＳ１０１と同様の処理を実行する。他方、当該発信履歴が発信履歴ＤＢ１３３に格納されている場合に、発信部１２３は、さらに、発信履歴ＤＢ１３３において格納された発信履歴情報において着信端末２００から送信された身分情報の要求情報を抽出する（Ｓ２０１）。
【００５６】
発信端末１００の対応部１２１は、過去に着信端末２００から受信した身分情報の要求情報に対応する身分情報を、身分情報ＤＢ１３２から読み出す。さらに、対応部１２１は、読み出した身分情報を含むファイルを作成する（Ｓ２０２）。次に、対応部１２１は、所属先Ａの秘密鍵管理サーバ３０から秘密鍵Ｋ４をダウンロードすることによって入手する（Ｓ２０３）。対応部１２１は、入手した所属先Ａの秘密鍵Ｋ４を使用して、身分情報を含むファイルを暗号化する（Ｓ２０４）。
【００５７】
発信端末１００の発信部１２３は、データベース１３に格納されたデジタル証明書Ｃ１を読み出し、このデジタル証明書Ｃ１に対して、ステップＳ２０４において暗号化されたファイルを付加して発信情報を生成し、電話の発信処理を実行する（Ｓ２０５）。
【００５８】
着信端末２００の着信部１１６は、着信処理を実行する。このとき、着信部１１６は、発信端末１００から送信されたデジタル証明書Ｃ１及び暗号化ファイルを含む発信情報を受信する。
【００５９】
次に、着信端末２００の判断部１１４は、データベース１３に格納されている認証局の公開鍵Ｋ２を用いてデジタル証明書Ｃ１を復号化する。さらに、判断部１１４は、復号化したデジタル証明書Ｃ１が真正なものかどうかを確認する（Ｓ２０６）。
【００６０】
着信端末２００の判断部１１４は、デジタル証明書Ｃ１に含まれている発信者の所属先の公開鍵Ｋ３を用いて、着信端末２００より受信した、身分情報を含むファイルを復号化する。判断部１１４は、ファイルの復号化が成功するか否かによって、身分情報が正しいものかどうかを確認する（Ｓ２０７）。
【００６１】
判断部１１４は、着信に必要な情報として予め定められた情報に、当該身分情報に含まれているかを確認する（Ｓ２０８）。判断部１１４が身分情報に着信に必要な情報として予め定められた情報が含まれていると判断した場合には、表示部１１５は、発信者情報として、発信者の情報として、身分情報を着信端末２００のモニタに表示させる（Ｓ２０９）。その後、着信部１１６は、着信コールを実行する（Ｓ２１０）。
【００６２】
（処理例３）
次に、図７を用いて、悪意ある発信者が身分情報を送付しなかった場合に、発信者の電話番号を着信拒否するか否かの判断を着信者に要求する処理について説明する。
【００６３】
最初に、発信端末１００の発信部１２３は、発信者の操作に応じて、着信端末２００に対する発信処理を実行する（Ｓ３０１）。着信端末２００の着信部１１６は、発信端末１００からの発信信号を受信し、受付処理を実行する。次に、着信端末２００の判断部１１４は、着信部１１６が受け付けた着信に対して、データベース１３の条件情報ＤＢ１３１を参照して、条件情報ＤＢ１３１に定義されている、着信に必要な情報が付与されているかを確認する処理を実行する（Ｓ３０２）。
【００６４】
着信端末２００の判断部１１４は、図７に示す例では、着信に必要な処理が発信信号に含まれていないと判断する。判断部１１４による、かかる判断に応じて、発行部１１２は、ワンタイムチケットを発行する処理を実行する（Ｓ３０３）。続いて、要求部１１３は、着信に必要な情報を示す情報とワンタイムチケットを組み合わせたファイルを作成する（Ｓ３０４）。
【００６５】
要求部１１３は、作成したファイルを要求情報として、発信元である発信端末１００に対して送信する（Ｓ３０５）。このようにして、着信端末２００は、発信端末１００に対して、デジタル証明書と身分情報の送信を要求する。発信端末１００の受付部１２２は、作成ファイルによる要求を受け付け、対応部１２１に対して要求を転送する。対応部１２１は、データベース１３の身分情報データベース１３２から発信者の身分情報を読み出す処理を実行する。対応部１２１は、身分情報データベース１３２に、予め身分情報として公開可能な情報が格納されていない場合や、公開不可の旨の情報が対応付けられている場合には、着信端末２００から受信した情報を含むファイルに対しては、身分情報を付加しない（Ｓ３０６）。この処理が、処理１におけるステップＳ１０６（図５参照）と異なる。
【００６６】
発信端末１００の受付部１２２は、着信端末２００からの要求情報を受け付けたものの、その要求に応答しない旨の情報を着信端末２００に対して通知する（Ｓ３０７）。着信端末２００では、要求部１１３が要求に応答しない旨の情報を取得し、判断部１１４に転送する。判断部１１４は、着信に必要な情報が揃っておらず、入手できない状況にあるため、着信を拒否する判断を実行する。そして、判断部１１４は、着信拒否判断とともに、着信履歴ＤＢ１３４において、要求に応答しなかった発信者の電話番号に関連付けられた要求拒否情報に含まれる拒否回数値を１増加させる（Ｓ３０８）。この拒否回数値は、文字通り要求を拒否した回数の値であるとともに、迷惑電話に相当する電話番号である可能性の高さを表す情報であるともいえる。
【００６７】
分析部１１１は、任意のタイミングで、着信履歴ＤＢ１３４に格納された要求拒否情報に基づいて、拒否回数値が予め設定された閾値を超える電話番号が存在するかどうかを判定する。分析部１１１は、拒否回数値が予め定めた閾値を超える電話番号が存在すると判定した場合には、かかる電話番号を、着信拒否番号として、データベース１３の着信拒否ＤＢに登録するか否かを着信者に対して確認する処理を実行する（Ｓ３０９）。かかる処理の実行に応じて、表示部１１５は、着信端末２００のモニタにおいて、着信拒否した事実を示す説明情報と、着信拒否番号として登録するか否かの入力を要求するダイアログを表示する（Ｓ３１０）。
【００６８】
続いて、図８のフローチャートを用いて、発信端末の処理の流れについて説明する。
【００６９】
発信者が発信端末１００を操作し、発信先の電話番号を入力する（Ｓ４０１）。発信端末１００において、発信部１２３は、発信履歴ＤＢ１３３の格納された発信履歴情報中に、入力した発信先の電話番号があるかどうかを、つまり、同じ発信履歴があるかどうかを判定する（Ｓ４０２）。
【００７０】
判定の結果、発信部１２３は、同じ発信履歴が過去にあった場合には、発信履歴情報中に、着信端末２００から身分情報を要求されていたことを示す要求情報が含まれているかどうかを判定する（Ｓ４０３）。この判定の結果、要求情報が含まれ、身分情報が要求されていた場合には、対応部１２１は、必要な身分情報を身分情報ＤＢ１３２から入手する（Ｓ４０４）。そして、対応部１２１は、身分情報を暗号化処理した上で、身分情報と所属先Ａのデジタル証明書を発信情報として発信先に送信する発信処理を実行する（Ｓ４０５）。
【００７１】
ステップＳ４０２において、発信部１２３が同じ発信履歴が過去にないと判定した場合は、そのまま電話を発信する（Ｓ４０６）。また、ステップＳ４０３において、着信端末２００から身分情報を要求されていなかったと判定した場合にも、そのまま電話を発信する（Ｓ４０６）。ステップＳ４０６では、身分情報やデジタル証明書を送信することなく、通常通りに、電話を発信する。
【００７２】
電話を発信後、受付部１２２は、発信先から情報要求があるか否かを判定する（Ｓ４０７）。判定の結果、予め定められた時間の間に、発信先から情報要求がなければ、着信待ちに移行する（Ｓ４１７）。
【００７３】
ステップＳ４０７の判定の結果、受付部１２２が発信先から情報要求があったと判定した場合に、対応部１２１は、身分情報ＤＢ１３２の身分情報が全て公開可能かどうか判定する（Ｓ４０８）。対応部１２１が、発信者に対応する身分情報が全て公開可能な情報と判定した場合には、要求情報に対応する公開可能な身分情報を身分情報ＤＢ１３２から取得する。そして、対応部１２１は、この身分情報をファイルに追加する（Ｓ４０９）。
【００７４】
続いて、対応部１２１は、所属先Ａの秘密鍵Ｋ４を秘密鍵管理サーバ３０から入手する（Ｓ４１３）。そして、対応部１２１は、身分情報が追加されたファイルを、入手した秘密鍵Ｋ４を使用して暗号化する（Ｓ４１４）。さらに、対応部１２１は、所属先のデジタル証明書と暗号された身分情報を含むファイルを着信端末２００に対して送信する（Ｓ４１５）。
【００７５】
受付部１２２は、ステップＳ４１５の処理の後、予め定められた時間内に着信端末２００から情報要求があるかどうかを判定する（Ｓ４１６）。受付部１２２は、情報要求がない場合には、着信待ちに移行する（Ｓ４１７）。他方、受付部１２２が情報要求を受けた場合には、ステップＳ４０９の処理を実行する。つまり、発信先の着信端末２００からの情報要求がなくなるまで本処理を繰り返す。
【００７６】
ステップＳ４０８において、対応部１２１が、発信者に対応する身分情報が全て公開可能な情報とはいえないと判定した場合、その中に公開可能な情報があるかどうかをさらに判定する（Ｓ４１０）。対応部１２１は、公開可能な情報があると判定した場合には、公開可能な情報のみを身分情報ＤＢ１３２から入手し、ファイルに追加する（Ｓ４１１）。
公開可能なものがない場合には要求情報の送信不可の旨を着信端末２００に通知する（Ｓ４１２）。その後、着信待ちに移行する（Ｓ４１７）。
【００７７】
次に、図９のフローチャートを用いて、着信端末の処理の流れについて説明する。
着信端末２００において、着信部１１６が電話を着信した場合（Ｓ５０１）、判断部１１４は、発信者の電話番号が着信拒否ＤＢ１３５において着信拒否番号として登録されているかを判定する（Ｓ５０２）。判断部１１４は、発信者の電話番号が着信拒否番号として登録されている場合、着信拒否処理を実行する（Ｓ５０３）。そして、表示部１１５は、着信端末２００のモニタに対して着信を拒否したことを表示させる（Ｓ５０４）。
【００７８】
判断部１１４は、発信者の電話番号が着信拒否番号として登録されていない場合、さらに、発信端末１００からの発信情報中に、身分情報が含まれているか否かを判定する（Ｓ５０５）。判断部１１４は、身分情報が含まれている場合、認証局の公開鍵Ｋ３を使用してデジタル証明書Ｃ１が真正なものかどうかを確認する（Ｓ５０６）。
【００７９】
判断部１１４が身分情報は含まれていないと判定した場合、発行部１１２は、ワンタイムチケットを発行する（Ｓ５０７）。続いて、要求部１１３は、着信に必要な情報を示す情報とワンタイムチケットを組み合わせたファイルを作成する（Ｓ５０８）。
【００８０】
要求部１１３は、作成したファイルを要求情報として、発信元である発信端末１００に対して送信する（Ｓ５０９）。具体的に、要求部１１３は、発信端末１００に対して、デジタル証明書と身分情報の送信を要求する。要求部１１３は、予め定められた期間に、発信端末１００から要求情報が送信されたかどうか、つまり要求情報を受信したか否かを判定する（Ｓ５１０）。
【００８１】
要求部１１３が要求情報を受信したと判定した場合、判断部１１４は、認証局の公開鍵Ｋ３を使用してデジタル証明書Ｃ１が真正なものかどうかを確認する（Ｓ５１１）。要求部１１３が要求情報を受信しなかったと判定した場合、判断部１１４は、着信を拒否する（Ｓ５１２）。このとき、判断部１１４は、着信履歴ＤＢ１３４において、要求に応答しなかった発信者の電話番号に関連付けられた要求拒否情報に含まれる拒否回数値を１増加させる（Ｓ５１３）。
【００８２】
分析部１１１は、任意のタイミングで、着信履歴ＤＢ１３４に格納された要求拒否情報に基づいて、拒否回数値が予め設定された閾値を超える電話番号が存在するかどうかを判定する（Ｓ５１４）。分析部１１１は、拒否回数値が予め定めた閾値を超える電話番号が存在すると判定した場合には、かかる電話番号を、着信拒否番号として、データベース１３の着信拒否ＤＢに登録するか否かを着信者に対して確認する処理を実行する。かかる処理の実行に応じて、表示部１１５は、着信端末２００のモニタにおいて、着信拒否した事実を示す説明情報と、着信拒否番号として登録するか否かの入力を要求するダイアログを表示する（Ｓ５１６）。
【００８３】
分析部１１１が着信拒否した電話番号が未だ閾値を超えていないと判定した場合に、表示部１１５は、着信端末２００のモニタにおいて着信拒否したことのみを表示する。
【００８４】
ステップＳ５１１において、判断部１１４がデジタル証明書Ｃ１を真正なものと判定した場合に、判断部１１４は、デジタル証明書Ｃ１に含まれている発信者の所属先の公開鍵Ｋ３を用いて、着信端末２００より受信した、身分情報を含むファイルを復号化する。判断部１１４は、ファイルの復号化が成功するか否かによって、身分情報が正しいものかどうかを確認する（Ｓ５１７）。このとき、判断部１１４は、ファイルの復号化が成功せず、身分情報が正しいものとは判断できないとき、着信を拒否する（Ｓ５１２）。
【００８５】
判断部１１４は、ファイルの復号化に成功した場合、さらに着信に必要な情報として予め定められた情報に当該身分情報に含まれているかを確認する（Ｓ５１９）。判断部１１４が身分情報に着信に必要な情報として予め定められた情報が含まれていないと判断した場合には、ステップＳ５０７の処理に移行する。
【００８６】
一方、判断部１１４が身分情報に着信に必要な情報として予め定められた情報が含まれていると判断した場合には、着信履歴ＤＢ１３４に格納された、同じ発信者からの着信履歴情報を読み出す。そして、判断部１１４は、着信履歴情報に含まれる過去に着信した時間帯や曜日等の発信傾向情報に基づいて、今回の発信がその発信傾向と一定以上の差異があるかどうかを判定する（Ｓ５２０）。今回の発信が過去の発信傾向と一定以上の差異がある場合には、過去の発信の発信者とは異なる者が、いわゆる「成りすまし」で、電話してきていると推測することができる。
【００８７】
判断部１１４が今回の発信が過去の発信傾向と一定以上の差異があると判断した場合に、表示部１１５は、モニタに対して、発信情報としての身分情報とともに警告メッセージを表示させる（Ｓ５２１）。警告メッセージは、例えば、過去の発信傾向と違う旨であったり、過去の着信とは発信者が違う可能性がある旨のメッセージである。その後、着信部１１６は、着信コールを実行する（Ｓ５２３）。
【００８８】
判断部１１４が今回の発信が過去の発信傾向の範囲内であると判断した場合に、表示部１１５は、発信者情報として、発信者の情報として、身分情報を着信端末２００のモニタに表示させる（Ｓ５２２）。その後、着信部１１６は、着信コールを実行する（Ｓ５２３）。
【００８９】
ここで、発信者の身分情報は発信に応じて着信者に対して送信されるが、かかる身分情報は、発信端末１００の発信履歴情報ＤＢ１３３において発信履歴情報と関連付けられて格納される。また、着信端末２００の着信履歴情報ＤＢ１３４においても着信履歴情報と関連付けられて格納される。このため、着信端末２００は、着信履歴情報中に今回の着信に関連づけられた身分情報が存在すれば、発信端末１００に対して身分情報の送信を要求する必要がなくなるため、通信時のやりとりを減らすことができる。
【００９０】
以上、説明したように、本実施の形態２にかかる通信システムによれば、電話の着信時に着信コールをする前に、発信者の身分情報を自動的に確認して着信端末に表示することによって、着信端末等に未登録の電話番号からの着信であっても、着信者は、迷惑電話かどうかの一定の判断を行うことができる。さらに、着信者側から発信者側へ要求する身分情報は認証局やワンタイムチケット等を利用して身分詐称できない仕組みを採用しているため、より確実に迷惑電話の危険性を排除できる。
【００９１】
身分情報については着信者側から必要な情報の種類を指定できるため、着信者が発信者の企業名さえ認識できれば迷惑電話かどうか判定可能な場合も、より詳細な身分情報がなければ迷惑電話かどうか判定できない場合にもそれぞれ対応可能であるため、様々な局面で使用することができる。
【００９２】
また、着信に応じて、発信者側から身分情報を取得した場合、着信端末では、着信履歴情報と、取得した身分情報を互いに関連づけて格納しているので、電話を切った後でもどのような人から電話があったかを容易に確認することができる。
【００９３】
一方、発信端末においては、着信側から身分情報を要求された場合にも提供可能な身分情報を設定できるため、発信者の意に反して個人情報が着信側へ伝達されることを防止できる。
【００９４】
本実施形態では、着信側から身分情報の送信要求を行ったにもかかわらず、発信端末から身分情報が送信されてこない場合には、着信者に対して、発信者の電話番号を着信拒否の対象に含めるか否かを着信者に対して確認する処理を実行している。これにより、迷惑電話である可能性の高い相手からの着信を拒否できる。
【００９５】
また、本実施形態では、今回の着信が過去の着信履歴の傾向と一定の差異がある場合にその旨を表示することによって着信者に対して報知している。これにより、いわゆる成りすましの相手であるかどうかをより正確に判断することができる。
【００９６】
さらに、本実施形態では、所属先の情報のみをデジタル証明書に格納し、身分情報を分離していることにより、所属先の単位で証明書を取得するだけですみ、個人単位で証明書を取得する必要がないため、証明書の発行に要する費用を抑えることができる。
【００９７】
発明の実施の形態３．
本実施の形態にかかる通信システムでは、身分情報に、発信端末の位置情報と、発信者を撮像した撮像情報を含む点に特徴を有する。
【００９８】
図１０に示されるように、発信端末１００は、発信制御部１０１、身分情報記憶部１０２に加えて、位置情報取得部１０３及び撮像情報取得部１０４を備えている。また、着信端末２００は、着信制御部２０１及び着信履歴情報記憶部２０２を備えている。
【００９９】
位置情報取得部１０３は、発信端末１００の位置を示す位置情報を取得する。位置情報取得部１０３は、例えば、ＧＰＳ（Global Positioning System）技術によって発信端末１００の位置情報を取得する。
【０１００】
撮像情報取得部１０４は、発信端末１００の内蔵カメラや外付けカメラによって発信者の画像を撮像することによって撮像情報を取得する。撮像情報取得部１０４は、さらに、顔画像であるかどうかを認識する認識手段として、顔認識モジュールを有する。顔認識モジュールによって顔画像であると判定されたことをトリガーとして、発信者を撮像した撮像情報として取得する。一方、顔認識モジュールによって顔画像であると判定されないときには、発信者を撮像した撮像情報としては取得しない。つまり、顔を撮像した場合のみ写真撮影される。
【０１０１】
着信端末２００の着信制御部２０１は、発信端末１００に対し、要求情報として、発信端末１００の位置情報や撮像情報を送信することができる。着信制御部２０１は、発信端末１００から位置情報や撮像情報を取得した場合には、他の身分情報と一緒に着信履歴情報記憶部２０２に格納する。
【０１０２】
本実施の形態によれば、着信者は、発信者の身分情報として、発信者の位置情報や画像情報を入手することができるため、迷惑電話か否かをより正確に判断することができる。さらに、着信者から発信者に対して、位置情報や画像情報を要求することによって、悪意ある電話を効果的に抑制できる。
【０１０３】
その他の実施形態．
なお、本発明は上記実施の形態に限られたものではなく、趣旨を逸脱しない範囲で適宜変更することが可能である。例えば、上述の例では、着信拒否回数が所定回数以上の場合に、ユーザに対して発信者の電話番号を着信拒否対象にするかどうかを確認していたが、着信拒否回数のみに限らず、その他の情報に基づいて、確認処理を実行するようにしてもよい。例えば、所定時間あたりの着信拒否回数が所定回数以上、即ち着信拒否の頻度を対象として、確認処理を実行するかどうかを判断するようにしてもよい。
【０１０４】
また、身分情報は、着信端末のモニタに表示するようにしたが、これに限らず、着信端末のユーザに報知できれば、モニタに対する表示に限られない。例えば、スピーカによって音声よりユーザに報知することも可能である。また、身分情報そのものをユーザに報知させるのではなく、身分情報に基づいて、迷惑電話の可能性を判断し、その判断結果をユーザに報知するようにしてもよい。
【０１０５】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭを含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０６】
また、上記の実施形態の一部又は全部は、以下の付記のようにも記載されうるが、以下には限られない。
[付記１]
発信処理を制御する発信制御部と、発信者の身分情報を格納する身分情報記憶部を有する発信端末と、
着信処理を制御する着信制御部と、着信履歴情報を格納する着信履歴情報記憶部を有する着信端末とを備えた通信システムであって、
前記発信端末の発信制御部は、発信処理中に前記身分情報記憶部に格納された身分情報を前記着信端末に送信し、
前記着信端末の着信制御部は、前記発信端末から受信した身分情報を前記着信履歴情報として前記着信履歴情報記憶部に格納し、かつ、新たに前記発信端末から発信があった場合に同一の発信端末からの発信が前記着信履歴情報に含まれるときは、対応する身分情報を読み出す、
通信システム。
[付記２]
前記着信端末の着信制御部は、前記発信端末からの発信に応じて、発信者の身分情報を要求し、
前記発信端末の発信制御部は、前記身分情報の要求に応じて、前記身分情報記憶部に格納された身分情報を前記着信端末に送信する付記１記載の通信システム。
[付記３]
前記発信端末は、さらに、少なくとも前記着信端末からの身分情報の要求情報を含む発信履歴情報を格納する発信履歴情報記憶部を有し、
前記発信端末の発信制御部は、前記着信端末へ発信する場合に、前記発信履歴情報に格納された、当該着信端末からの過去の身分情報の要求情報に基づいて、前記身分情報記憶部から対応する身分情報を読み出し、前記着信端末に対して送信する付記２記載の通信システム。
[付記４]
前記着信端末の着信制御部は、前記着信履歴情報記憶部に格納された着信履歴情報に基づいて、発信者の発信傾向を分析し、今回の発信の発信者が、過去の発信者と同一の発信者かどうかを判定する、付記１乃至３いずれかに記載の通信システム。
[付記５]
前記発信端末は、さらに当該発信端末の位置情報を取得する位置情報取得部を有し、
前記発信端末の発信制御部は、前記位置情報取得部が取得した位置情報を前記身分情報として前記着信端末に対して送信する付記１乃至４いずれかに記載の通信システム。
[付記６]
前記発信端末は、さらに発信者を撮像した撮像情報を取得する撮像情報取得部を有し、
前記発信端末の発信制御部は、前記撮像情報取得部が取得した発信者の撮像情報を前記身分情報として前記着信端末に対して送信する付記１乃至５いずれかに記載の通信システム。
[付記７]
前記撮像情報取得部は、顔画像であるかどうかを認識する認識手段を有し、当該認識手段によって顔画像であると判定された場合に発信者を撮像した撮像情報として取得する付記６記載の通信システム。
[付記８]
発信処理を制御する発信制御部と、発信者の身分情報を格納する身分情報記憶部と、
着信処理を制御する着信制御部と、着信履歴情報を格納する着信履歴情報記憶部を有する通信端末であって、
他の通信端末に発信する場合に、発信処理中に前記発信制御部は、前記身分情報記憶部に格納された身分情報を発信先に送信し、
他の通信端末から発信があった場合に、前記着信制御部は、発信元から受信した身分情報を前記着信履歴情報として前記着信履歴情報記憶部に格納し、かつ、新たに発信元から発信があった場合に同一の発信元からの発信が前記着信履歴情報に含まれるときは対応する身分情報を読み出す、
通信端末。
[付記９]
前記着信制御部は、発信元からの発信に応じて、発信者の身分情報を要求し、
前記発信制御部は、前記身分情報の要求に応じて、前記身分情報記憶部に格納された身分情報を前記発信先に送信する付記８記載の通信端末。
[付記１０]
さらに、少なくとも発信先からの身分情報の要求情報を含む発信履歴情報を格納する発信履歴情報記憶部を有し、
前記発信制御部は、発信する場合に、前記発信履歴情報に格納された、発信先からの過去の身分情報の要求情報に基づいて、前記身分情報記憶部から対応する身分情報を読み出し、発信先に対して送信する付記９記載の通信端末。
[付記１１]
前記着信制御部は、前記着信履歴情報記憶部に格納された着信履歴情報に基づいて、発信者の発信傾向を分析し、今回の発信の発信者が、過去の発信者と同一の発信者かどうかを判定する、付記８乃至１０いずれかに記載の通信端末。
[付記１２]
さらに自身の位置情報を取得する位置情報取得部を有し、
前記発信制御部は、前記位置情報取得部が取得した位置情報を前記身分情報として前記発信先に対して送信する付記８乃至１１いずれかに記載の通信端末。
[付記１３]
さらに発信者を撮像した撮像情報を取得する撮像情報取得部を有し、
前記発信制御部は、前記撮像情報取得部が取得した発信者の撮像情報を前記身分情報として発信先に対して送信する付記８乃至１２いずれかに記載の通信端末。
[付記１４]
前記撮像情報取得部は、顔画像であるかどうかを認識する認識手段を有し、当該認識手段によって顔画像であると判定された場合に発信者を撮像した撮像情報として取得する付記１３記載の通信端末。
[付記１５]
他の通信端末に発信する場合に、身分情報を発信先に送信する処理と、
他の通信端末から発信があった場合に、発信元から受信した身分情報を着信履歴情報として格納し、かつ、新たに発信元から発信があった場合に同一の発信元からの発信が前記着信履歴情報に含まれている場合には、当該発信元の身分情報を読み出す処理を、
コンピュータに実行させる通信プログラム。
[付記１６]
発信元からの発信に応じて、発信者の身分情報を発信元に対して要求し、
発信先からの身分情報の要求に応じて、身分情報を当該発信先に対して送信する付記１５記載の通信プログラム。
[付記１７]
発信する場合に、発信先からの過去の身分情報の要求情報に基づいて、身分情報を読み出して、発信先に対して送信する付記１６記載の通信プログラム。
[付記１８]
着信履歴情報に基づいて、発信者の発信傾向を分析し、今回の発信の発信者が、過去の発信者と同一の発信者かどうかを判定する、付記１５乃至１７いずれかに記載の通信プログラム。
[付記１９]
位置情報を取得して前記身分情報として前記発信先に対して送信する付記１５乃至１８いずれかに記載の通信プログラム。
[付記２０]
発信者の撮像情報を前記身分情報として前記発信先に対して送信する付記１５乃至１９いずれかに記載の通信プログラム。
[付記２１]
顔認識手段によって顔画像であると判定された場合に発信者を撮像した撮像情報として送信する付記２０記載の通信プログラム。
[付記２２]
第１の端末から第２の端末に対して発信し、音声通信を行う通信方法であって、
前記第１の端末は、発信処理中に予め格納された身分情報を前記第２の端末に対して送信し、
前記第２の端末は、前記第１の端末から受信した身分情報を着信履歴情報として記憶し、
さらに、新たに発信を受けた場合に前記第２の端末は、同一の発信元からの発信が前記着信履歴情報に含まれるときは、着信履歴情報中の身分情報をユーザに報知する、
通信方法。
[付記２３]
前記第２の端末は、前記第１の端末からの発信に応じて、発信者の身分情報を要求し、
前記第１の端末は、前記身分情報の要求に応じて、予め格納された身分情報を前記第２の端末に送信する付記２２記載の通信方法。
[付記２４]
前記第１の端末は、さらに、少なくとも前記着信端末からの身分情報の要求情報を含む発信履歴情報を格納し、
前記第１の端末は、前記第２の端末へ発信する場合に、格納された、当該着信端末からの過去の身分情報の要求情報に基づいて、対応する身分情報を前記第２の端末に対して送信する付記２３記載の通信方法。
[付記２５]
前記第２の端末は、前記着信履歴情報に基づいて、発信者の発信傾向を分析し、今回の発信の発信者が、過去の発信者と同一の発信者かどうかを判定する、付記２２乃至２４いずれかに記載の通信方法。
[付記２６]
前記第１の端末は、位置情報を取得して前記身分情報として前記第２の端末に対して送信する付記２２乃至２５いずれかに記載の通信方法。
[付記２７]
前記第１の端末は、発信者の撮像情報を取得して前記身分情報として前記第２の端末に対して送信する付記２２乃至２６いずれかに記載の通信方法。
[付記２８]
発信者を撮像した画像が顔画像であると判定された場合に発信者を撮像した撮像情報を前記身分情報として前記第２の端末に対して送信する付記２７に記載の通信方法。
【符号の説明】
【０１０７】
１  通信システム、１０  電話端末（通信端末）、１１  着信制御部、１２  発信制御部、２０  認証局、３０  所属先の秘密鍵管理サーバ、１００  発信端末、２００  着信端末、１０１  発信制御部、１０２  身分情報記憶部、２０１  着信制御部、２０２  着信履歴情報記憶部、１１１  分析部、１１２  発行部、  １１３  要求部、１１４  判断部、１１５  表示部、１１６  着信部、１２１  対応部、１２２  受付部、１２３  発信部
【図１】
2019176234.tif 000003
【図２】
2019176234.tif 000004
【図３】
2019176234.tif 000005
【図４】
2019176234.tif 000006
【図５】
2019176234.tif 000007
【図６】
2019176234.tif 000008
【図７】
2019176234.tif 000009
【図８】
2019176234.tif 000010
【図９】
2019176234.tif 000011
【図１０】
2019176234.tif 000012